【手続補正書】
【提出日】平成16年4月28日(2004.4.28)
【手続補正１】
【補正対象書類名】明細書
【補正対象項目名】全文
【補正方法】変更
【補正の内容】
【書類名】        明細書
【発明の名称】    情報供給方法と情報供給システム及び情報読出装置
【特許請求の範囲】
【請求項１】  一つのデータ入力部に入力されたデータを書込可能な書込領域を備えた記憶手段を用い、
前記一つのデータ入力部に入力された一連に再生される情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出して、複数の端末に送信する情報供給方法。
【請求項２】  前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、
前記書込み用のタイムスロットにおいて前記一つのデータ入力部に入力されたデータを前記書込領域に書き込む動作を周期的に繰り返すことにより、前記一つのデータ入力部に入力された一連に再生される情報の一つに対応する一連のデータを、前記書込領域に端末への送信用のデータとして読出可能な記憶データとして記憶されるように書き加えながら、
前記読出し用のタイムスロットにおいて、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の指定された、又は、任意の複数位置の各々から端末への送信用のデータとして読み出して、複数の端末に送信する請求項１記載の情報供給方法。
【請求項３】  前記記憶手段として前記書込領域を書換え可能に備えた記憶手段を用い、
前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える請求項１又は２記載の情報供給方法。
【請求項４】  前記読み出した送信用のデータを複数の中継用情報供給手段に送信し、
前記中継用情報供給手段の各々は、一つのデータ入力部に入力されたデータを書込可能な中継用の書込領域を備えた記憶手段を用いて、送信されてきたデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出して、複数の端末に送信する請求項１〜３のいずれか１項記載の情報供給方法。
【請求項５】  一つのデータ入力部に入力されたデータを書込可能な書込領域を備えた記憶手段を設け、
前記一つのデータ入力部に入力された一連に再生される情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出して、複数の端末に送信する情報供給システム。
【請求項６】  前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、
前記書込み用のタイムスロットにおいて前記一つのデータ入力部に入力されたデータを前記書込領域に書き込む動作を周期的に繰り返すことにより、前記一つのデータ入力部に入力された一連に再生される情報の一つに対応する一連のデータを、前記書込領域に端末への送信用のデータとして読出可能な記憶データとして記憶されるように書き加えながら、
前記読出し用のタイムスロットにおいて、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の指定された、又は、任意の複数位置の各々から端末への送信用のデータとして読み出して、複数の端末に送信する請求項５記載の情報供給システム。
【請求項７】  前記記憶手段として前記書込領域を書換え可能に備えた記憶手段を設け、
前記記憶手段が、前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える機能を備えている請求項５又は６記載の情報供給システム。
【請求項８】  前記読み出した送信用のデータが送信される複数の中継用情報供給手段を設け、
前記中継用情報供給手段の各々は、データを書込可能な中継用の書込領域を備えた記憶手段を用いて、送信されてきたデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出して、複数の端末に送信するように設けられている請求項５〜７のいずれか１項記載の情報供給システム。
【請求項９】  一つのデータ入力部に入力されたデータを書込可能な書込領域を備えた記憶手段を、
前記一つのデータ入力部に入力された一連に再生される情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出し可能に設けてある情報読出装置。
【請求項１０】  前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、
前記書込み用のタイムスロットにおいて前記一つのデータ入力部に入力されたデータを前記書込領域に書き込む動作を周期的に繰り返すことにより、前記一つのデータ入力部に入力された一連に再生される情報の一つに対応する一連のデータを、前記書込領域に端末への送信用のデータとして読出可能な記憶データとして記憶されるように書き加えながら、
前記読出し用のタイムスロットにおいて、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の指定された、又は、任意の複数位置の各々から端末への送信用のデータとして読み出し可能に設けてある請求項９記載の情報読出装置。
【請求項１１】  前記書込領域を書換え可能に設け、
前記記憶手段が、前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える機能を備えている請求項９又は１０記載の情報読出装置。
【発明の詳細な説明】
【０００１】
【発明の属する技術分野】
本発明は、一連に再生される情報の一つに対応する一連のデータを、必要に応じて読出位置が異なる複数のデータとして記憶手段から読み出して、複数の端末に送信する情報供給方法と情報供給システム、及び、一連に再生される情報の一つに対応する一連のデータを、必要に応じて読出位置が異なる複数のデータとして記憶手段から読み出す情報読出装置に関する。
【０００２】
【従来の技術】
一連に再生される情報の一つに対応する一連のデータを、必要に応じて読出位置が異なる複数のデータとして記憶手段から読み出して、複数の端末に送信する技術として、例えば特開平５−１６７５４４号公報に記載されているように、記憶手段としての半導体メモリに所定の映像情報に対応する一連のデータ全部を予め書き込んでおき、必要に応じて読出位置が異なる複数のデータとしてその半導体メモリから読み出して、複数の端末に送信する技術が提案されている。
【０００３】
【発明が解決しようとする課題】
上記従来技術によれば、所定の情報に対応する一連のデータ全部を記憶手段に予め書き込んでおいてから、必要に応じて読出位置が異なる複数のデータとしてその記憶手段から読み出すので、記憶手段に予め書き込まれていない情報に対応する一連のデータについては、その一連のデータ全部の記憶手段への書き込みが終了するまでの間は、必要に応じて読出位置が異なる複数のデータとして記憶手段から読み出して、複数の端末に迅速に送信できない欠点がある。
また、複数のサービス地域毎に情報供給手段を設けてある場合、各情報供給手段毎に、各種の情報のデータを記憶手段に書き込んでおく必要がある。
【０００４】
特に、半導体メモリに比べてアクセス速度が低速の光ディスク等の大容量記憶手段に記録されている一連のデータ全部を読み出して記憶手段に書き込むような場合は、その一連のデータ全部の大容量記憶手段からの読み出しに比較的長い時間を要するので、上記欠点が一層顕著になっている。
そこで、必要に応じて読出位置が異なる複数のデータとして記憶手段から読み出して、複数の端末に迅速に送信できるように、各種の情報毎に、その情報に対応する一連のデータ全部を記憶手段に予め書き込んでおくと、多数の記憶手段を必要とする欠点がある。
【０００５】
また、端末からの送信要求があるとその送信要求に応じた情報に対応する一連のデータを読み出して送信する場合に、送信要求に応じて読出位置が異なる複数のデータとして記憶手段から読み出して、複数の端末に迅速に送信できるように、送信要求の有無にかかわらず、各種の情報毎に、その情報に対応する一連のデータ全部を記憶手段に予め書き込んでおくと、多数の記憶手段を必要とするだけでなく、その書き込んだ一連のデータについての送信要求が長時間に亘って一度もない場合があるので、それらの記憶手段を有効活用できない欠点があり、記憶手段の有効活用を図るべく、記憶手段に既に書き込まれている一連のデータを必要に応じて別の情報に対応する一連のデータに書き換えるようにすると、書き換えるべき情報を予め的確に選択して、送信要求に応じて迅速に送信できるようにその情報に対応する一連のデータ全部をタイミング良く書き換えなければならない等、記憶手段に書き込むべき一連のデータの管理が煩雑化する欠点がある。
【０００６】
また、所定の情報に対応する一連のデータ全部を記憶手段に予め書き込んでから、必要に応じて読出位置が異なる複数のデータとしてその記憶手段から読み出すので、動画情報のようなデータ量の多い情報ほど記憶容量の大きい記憶手段を設けなければ、必要に応じて読出位置が異なる複数のデータとして記憶手段から読み出せない欠点がある。
【０００７】
また、スポーツ実況やコンサート実況，ニュース等の放送局から送信される情報に対応する一連のデータは、その一連のデータの記憶手段への書き込みが終了するまでの間は、必要に応じて読出位置が異なる複数のデータとして記憶手段から読み出すことができないので、複数の端末に迅速に送信できない欠点がある。
【０００８】
本発明は上記実情に鑑みてなされたものであって、一連に再生される情報の一つに対応する一連のデータの記憶手段への書き込みタイミングとその記憶手段からの読み出しタイミングを工夫することにより、多数の記憶手段を必要とすることなく、記憶手段に書き込まれていない情報の一つに対応する一連のデータでも、必要に応じて読出位置が異なる複数のデータとして記憶手段から読み出して、複数の端末に迅速に送信できるようにすることを目的とする。
【０００９】
他の目的は、端末からの送信要求があるとその送信要求に応じた情報の一つに対応する一連のデータを読み出して送信する場合に、多数の記憶手段を必要とすることなく、記憶手段に書き込まれていない情報の一つに対応する一連のデータでも、送信要求に応じて読出位置が異なる複数のデータとして記憶手段から読み出して、複数の端末に迅速に送信できるようにしながら、記憶手段に書き込むべき一連のデータの管理が煩雑化することなく、記憶手段の有効活用を図ることができるようにすることにある。
他の目的は、データ量の多い情報の一つに対応する一連のデータでも、記憶容量の大きい記憶手段を設けることなく、必要に応じて読出位置が異なる複数のデータとして記憶手段から読み出せるようにすることにある。
他の目的は、放送局から送信される情報の一つに対応する一連のデータでも、必要に応じて読出位置が異なる複数のデータとして記憶手段から読み出して、複数の端末に迅速に送信できるようにすることにある。
【００１０】
【課題を解決するための手段】
請求項１記載の情報供給方法の特徴構成は、一つのデータ入力部に入力されたデータを書込可能な書込領域を備えた記憶手段を用い、前記一つのデータ入力部に入力された一連に再生される情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出して、複数の端末に送信する点にある。
【００１１】
つまり、記憶手段に書き込まれていない一連に再生される情報の一つに対応する一連のデータを、そのデータ全部を記憶手段に書き込み終えるまで待つことなく、記憶手段の書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出して、複数の端末に送信できる。
【００１２】
従って、多数の記憶手段を必要とすることなく、記憶手段に書き込まれていない一連に再生される情報の一つに対応する一連のデータでも、放送局から送信される情報の一つに対応する一連のデータでも、その一連のデータ全部を記憶手段に書き込み終えるまで待つことなく、必要に応じて記憶手段に端末への送信用のデータとして読出可能な記憶データとして記憶されるように書き加えながら、その記憶データを、一連に再生される情報の一つに対応する読出位置が異なる複数の端末への送信用のデータとして記憶手段から読み出して、複数の端末に迅速に送信できる。
しかも、一連に再生される情報の一つに対応する一連のデータ全部を記憶手段に予め書き込んでおくことを要しないので、記憶手段に書き込むべきデータの管理が煩雑化することなく、記憶手段の有効活用を図ることができる。
【００１３】
請求項２記載の情報供給方法の特徴構成は、前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、前記書込み用のタイムスロットにおいて前記一つのデータ入力部に入力されたデータを前記書込領域に書き込む動作を周期的に繰り返すことにより、前記一つのデータ入力部に入力された一連に再生される情報の一つに対応する一連のデータを、前記書込領域に端末への送信用のデータとして読出可能な記憶データとして記憶されるように書き加えながら、前記読出し用のタイムスロットにおいて、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の指定された、又は、任意の複数位置の各々から端末への送信用のデータとして読み出して、複数の端末に送信する点にある。
【００１４】
つまり、書込み用のタイムスロットにおいて一連に再生される情報の一つに対応する一連のデータを書込領域に書き込む動作を周期的に繰り返すことにより、一連に再生される情報の一つに対応する一連のデータを、その書込領域に端末への送信用のデータとして読出可能な記憶データとして記憶されるように書き加えながら、読出し用のタイムスロットにおいて、書込領域に書き込まれている記憶データをその書込領域中の読出し用のタイムスロット毎に対応する位置から読み出す動作を周期的に繰り返すことにより、その書込領域に書き込まれている記憶データを、その記憶データが書き込まれている書込領域中の指定された、又は、任意の複数位置の各々から端末への送信用のデータとして読み出すことができるので、配置上の制約を受け易い書込み用や読出し用の多数のヘッドを同時に駆動することなく簡便に、記憶手段に書き込まれていない一連に再生される情報の一つに対応する一連のデータを、そのデータ全部を記憶手段に書き込み終えるまで待つことなく、記憶手段の書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出すことができる。
【００１５】
従って、配置上の制約を受け易い書込み用や読出し用の多数のヘッドを同時に駆動することなく簡便に、必要に応じて記憶手段に端末への送信用のデータとして読出可能な記憶データとして記憶されるように書き加えながら、その記憶データを、一連に再生される情報の一つに対応する読出位置が異なる複数の端末への送信用のデータとして記憶手段から読み出すことができる。
【００１６】
請求項３記載の情報供給方法の特徴構成は、前記記憶手段として前記書込領域を書換え可能に備えた記憶手段を用い、前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える点にある。
【００１７】
つまり、書込領域に別の情報のデータが既に書き込まれている場合は、その既に書き込まれている別の情報のデータを書き換えながら書き加えることができるだけでなく、一連に再生される情報の一つに対応する一連のデータのうちの一定量を書込領域に書き込んだ後は、その書込領域に書き込まれている記憶データのうちの最先に書き加えたデータを、最新に書き加えたデータに後続して書き加えるデータに書き換えて、一連に再生される情報の一つに対応する一連のデータを書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出すことができる。
【００１８】
従って、データ量の多い一連に再生される情報の一つに対応する一連のデータでも、記憶容量の大きい記憶手段を設けることなく、必要に応じて記憶手段に端末への送信用のデータとして読出可能な記憶データとして記憶されるように書き加えながら、一連に再生される情報の一つに対応する読出位置が異なる複数の端末への送信用のデータとして記憶手段から読み出せる。
【００１９】
請求項４記載の情報供給方法の特徴構成は、前記読み出した送信用のデータを複数の中継用情報供給手段に送信し、前記中継用情報供給手段の各々は、一つのデータ入力部に入力されたデータを書込可能な中継用の書込領域を備えた記憶手段を用いて、送信されてきたデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出して、複数の端末に送信する点にある。
【００２０】
つまり、中継用情報供給手段の各々は、送信されてきたデータを、そのデータ全部を記憶手段に書き込み終えるまで待つことなく、記憶手段の中継用の書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出して、複数の端末に送信できる。
従って、複数のサービス地域毎に中継用情報供給手段を設けて、一連に再生される情報の一つに対応する一連のデータを基にして、各中継用情報供給手段の各々において、送信されてきたデータを記憶手段の中継用の書込領域に書き加えながら、その書込領域中の指定された、又は、任意の複数位置の各々から読み出したデータを複数の端末に迅速に送信できる。
また、各中継用情報供給手段が、一連に再生される情報の一つに対応する一連のデータを効率良く活用しながら、記憶手段に書き込むべきデータの管理が煩雑化することなく、記憶手段の有効活用を図ることができる。
【００２１】
請求項５記載の情報供給システムの特徴構成は、一つのデータ入力部に入力されたデータを書込可能な書込領域を備えた記憶手段を設け、前記一つのデータ入力部に入力された一連に再生される情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出して、複数の端末に送信する点にある。
【００２２】
つまり、記憶手段に書き込まれていない一連に再生される情報の一つに対応する一連のデータを、そのデータ全部を記憶手段に書き込み終えるまで待つことなく、記憶手段の書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出して、複数の端末に送信できる。
【００２３】
従って、多数の記憶手段を必要とすることなく、記憶手段に書き込まれていない一連に再生される情報の一つに対応する一連のデータでも、放送局から送信される情報の一つに対応する一連のデータでも、その一連のデータ全部を記憶手段に書き込み終えるまで待つことなく、必要に応じて記憶手段に端末への送信用のデータとして読出可能な記憶データとして記憶されるように書き加えながら、その記憶データを、一連に再生される情報の一つに対応する読出位置が異なる複数の端末への送信用のデータとして記憶手段から読み出して、複数の端末に迅速に送信できる。
しかも、一連に再生される情報の一つに対応する一連のデータ全部を記憶手段に予め書き込んでおくことを要しないので、記憶手段に書き込むべきデータの管理が煩雑化することなく、記憶手段の有効活用を図ることができる。
【００２４】
請求項６記載の情報供給システムの特徴構成は、前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、前記書込み用のタイムスロットにおいて前記一つのデータ入力部に入力されたデータを前記書込領域に書き込む動作を周期的に繰り返すことにより、前記一つのデータ入力部に入力された一連に再生される情報の一つに対応する一連のデータを、前記書込領域に端末への送信用のデータとして読出可能な記憶データとして記憶されるように書き加えながら、前記読出し用のタイムスロットにおいて、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の指定された、又は、任意の複数位置の各々から端末への送信用のデータとして読み出して、複数の端末に送信する点にある。
【００２５】
つまり、書込み用のタイムスロットにおいて一連に再生される情報の一つに対応する一連のデータを書込領域に書き込む動作を周期的に繰り返すことにより、一連に再生される情報の一つに対応する一連のデータを、その書込領域に端末への送信用のデータとして読出可能な記憶データとして記憶されるように書き加えながら、読出し用のタイムスロットにおいて、書込領域に書き込まれている記憶データをその書込領域中の読出し用のタイムスロット毎に対応する位置から読み出す動作を周期的に繰り返すことにより、その書込領域に書き込まれている記憶データを、その記憶データが書き込まれている書込領域中の指定された、又は、任意の複数位置の各々から端末への送信用のデータとして読み出すことができるので、配置上の制約を受け易い書込み用や読出し用の多数のヘッドを同時に駆動することなく簡便に、記憶手段に書き込まれていない一連に再生される情報の一つに対応する一連のデータを、そのデータ全部を記憶手段に書き込み終えるまで待つことなく、記憶手段の書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出すことができる。
【００２６】
従って、配置上の制約を受け易い書込み用や読出し用の多数のヘッドを同時に駆動することなく簡便に、必要に応じて記憶手段に端末への送信用のデータとして読出可能な記憶データとして記憶されるように書き加えながら、その記憶データを、一連に再生される情報の一つに対応する読出位置が異なる複数の端末への送信用のデータとして記憶手段から読み出すことができる。
【００２７】
請求項７記載の情報供給システムの特徴構成は、前記記憶手段として前記書込領域を書換え可能に備えた記憶手段を設け、前記記憶手段が、前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える機能を備えている点にある。
【００２８】
つまり、書込領域に別の情報のデータが既に書き込まれている場合は、その既に書き込まれている別の情報のデータを書き換えながら書き加えることができるだけでなく、一連に再生される情報の一つに対応する一連のデータのうちの一定量を書込領域に書き込んだ後は、その書込領域に書き込まれている記憶データのうちの最先に書き加えたデータを、最新に書き加えたデータに後続して書き加えるデータに書き換えて、一連に再生される情報の一つに対応する一連のデータを書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出すことができる。
【００２９】
従って、データ量の多い一連に再生される情報の一つに対応する一連のデータでも、記憶容量の大きい記憶手段を設けることなく、必要に応じて記憶手段に端末への送信用のデータとして読出可能な記憶データとして記憶されるように書き加えながら、一連に再生される情報の一つに対応する読出位置が異なる複数の端末への送信用のデータとして記憶手段から読み出せる。
【００３０】
請求項８記載の情報供給システムの特徴構成は、前記読み出した送信用のデータが送信される複数の中継用情報供給手段を設け、前記中継用情報供給手段の各々は、データを書込可能な中継用の書込領域を備えた記憶手段を用いて、送信されてきたデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出して、複数の端末に送信するように設けられている点にある。
【００３１】
つまり、中継用情報供給手段の各々は、送信されてきたデータを、そのデータ全部を記憶手段に書き込み終えるまで待つことなく、記憶手段の中継用の書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出して、複数の端末に送信できる。
従って、複数のサービス地域毎に中継用情報供給手段を設けて、一連に再生される情報の一つに対応する一連のデータを基にして、各中継用情報供給手段の各々において、送信されてきたデータを記憶手段の中継用の書込領域に書き加えながら、その書込領域中の指定された、又は、任意の複数位置の各々から読み出したデータを複数の端末に迅速に送信できる。
また、各中継用情報供給手段が、一連に再生される情報の一つに対応する一連のデータを効率良く活用しながら、記憶手段に書き込むべきデータの管理が煩雑化することなく、記憶手段の有効活用を図ることができる。
【００３２】
請求項９記載の情報読出装置の特徴構成は、一つのデータ入力部に入力されたデータを書込可能な書込領域を備えた記憶手段を、前記一つのデータ入力部に入力された一連に再生される情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の指定された、又は、任意の複数位置の各々から端末への送信用のデータとして読み出し可能に設けてある点にある。
【００３３】
つまり、記憶手段に書き込まれていない一連に再生される情報の一つに対応する一連のデータを、そのデータ全部を記憶手段に書き込み終えるまで待つことなく、記憶手段の書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして迅速に読み出すことができる。
【００３４】
従って、多数の記憶手段を必要とすることなく、記憶手段に書き込まれていない一連に再生される情報の一つに対応する一連のデータでも、放送局から送信される情報の一つに対応する一連のデータでも、その一連のデータ全部を記憶手段に書き込み終えるまで待つことなく、必要に応じて記憶手段に端末への送信用のデータとして読出可能な記憶データとして記憶されるように書き加えながら、その記憶データを、一連に再生される情報の一つに対応する読出位置が異なる複数の端末への送信用のデータとして記憶手段から読み出すことができる。
しかも、一連に再生される情報の一つに対応する一連のデータ全部を記憶手段に予め書き込んでおくことを要しないので、記憶手段に書き込むべきデータの管理が煩雑化することなく、記憶手段の有効活用を図ることができる。
【００３５】
請求項１０記載の情報読出装置の特徴構成は、前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、前記書込み用のタイムスロットにおいて前記一つのデータ入力部に入力されたデータを前記書込領域に書き込む動作を周期的に繰り返すことにより、前記一つのデータ入力部に入力された一連に再生される情報の一つに対応する一連のデータを、前記書込領域に端末への送信用のデータとして読出可能な記憶データとして記憶されるように書き加えながら、前記読出し用のタイムスロットにおいて、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の指定された、又は、任意の複数位置の各々から端末への送信用のデータとして読み出し可能に設けてある点にある。
【００３６】
つまり、書込み用のタイムスロットにおいて一連に再生される情報の一つに対応する一連のデータを書込領域に書き込む動作を周期的に繰り返すことにより、一連に再生される情報の一つに対応する一連のデータを、その書込領域に端末への送信用のデータとして読出可能な記憶データとして記憶されるように書き加えながら、読出し用のタイムスロットにおいて、書込領域に書き込まれている記憶データをその書込領域中の読出し用のタイムスロット毎に対応する位置から読み出す動作を周期的に繰り返すことにより、その書込領域に書き込まれている記憶データを、その記憶データが書き込まれている書込領域中の指定された、又は、任意の複数位置の各々から端末への送信用のデータとして読み出すことができるので、配置上の制約を受け易い書込み用や読出し用の多数のヘッドを同時に駆動することなく簡便に、記憶手段に書き込まれていない一連に再生される情報の一つに対応する一連のデータを、そのデータ全部を記憶手段に書き込み終えるまで待つことなく、記憶手段の書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして迅速に読み出すことができる。
【００３７】
従って、配置上の制約を受け易い書込み用や読出し用の多数のヘッドを同時に駆動することなく簡便に、必要に応じて記憶手段に端末への送信用のデータとして読出可能な記憶データとして記憶されるように書き加えながら、その記憶データを、一連に再生される音声情報の一つに対応する読出位置が異なる複数の端末への送信用のデータとして記憶手段から読み出すことができる。
【００３８】
請求項１１記載の情報読出装置の特徴構成は、前記書込領域を書換え可能に設け、前記記憶手段が、前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える機能を備えている点にある。
【００３９】
つまり、書込領域に別の情報のデータが既に書き込まれている場合は、その既に書き込まれている別の情報のデータを書き換えながら書き加えることができるだけでなく、一連に再生される情報の一つに対応する一連のデータのうちの一定量を書込領域に書き込んだ後は、その書込領域に書き込まれている記憶データのうちの最先に書き加えたデータを、最新に書き加えたデータに後続して書き加えるデータに書き換えて、一連に再生される情報の一つに対応する一連のデータを書込領域に端末への送信用のデータとして読出可能な記憶データとして記憶されるように書き加えながら、その書込領域に書き込まれている記憶データを、必要に応じてその記憶データが書き込まれている書込領域中の指定された、又は、任意の複数位置の各々から端末への送信用のデータとして読み出すことができる。
【００４０】
従って、データ量の多い一連に再生される情報の一つに対応する一連のデータでも、記憶容量の大きい記憶手段を設けることなく、必要に応じて記憶手段に端末への送信用のデータとして読出可能な記憶データとして記憶されるように書き加えながら、一連に再生される情報の一つに対応する読出位置が異なる複数の端末への送信用のデータとして記憶手段から読み出せる。
【００４１】
【発明の実施の形態】
〔第１実施形態〕
図１は、いわゆるオン・ディマンド・サービス方式により、情報の一例としてのビデオ映像等の音声を含む映像情報のデータVAを、複数の端末としての情報再生手段を備えた端末装置Ｅからの送信要求に応じて送信する情報供給システムのブロック図を示し、種々の映像情報の映像データVAを送出する情報送出装置Ａと、その情報送出装置Ａから送出された映像データVAを送信要求に応じて複数の端末装置Ｅに送信する情報供給装置Ｂとを備えたセンタ装置Ｃが、Ｂ−ＩＳＤＮのようなデジタル交換回線網Ｆを介して多数の端末装置Ｅと双方向に通信可能に設けられている。
【００４２】
前記端末装置Ｅの各々は、情報供給装置Ｂから送信されてきた送信映像データVEをバッファリングしながらディスプレイに再生する情報再生手段を備え、送信要求としての要求する映像情報のタイトルとその送信開始位置TCm とを指定する送信要求データDAと、送信映像データVEの受信終了を示す受信終了データDBとをその端末装置Ｅの識別データとともに必要に応じてセンタ装置Ｃに送信できるように設けられている。
【００４３】
前記情報供給装置Ｂは、端末装置Ｅから送信要求データDAが入力されるとその送信要求データDAに対応する読出映像データVDm を読み出してその端末装置Ｅに送信するもので、書換え可能な記憶手段としての情報蓄積メモリ（半導体メモリ）２に送信要求データDAに対応する所定の書込映像データVBを書き込みながら、複数の端末装置Ｅからの送信要求データDAに応じて読出位置が異なる複数の読出映像データVDm(ｍ＝１〜６２、以下同じ) をその情報蓄積メモリ２から読み出し可能な読出手段としての情報読出装置B3の複数と、情報読出装置B3の各々をデジタル交換回線網Ｆ及び他の情報読出装置B3に接続する通信制御装置B4と、各情報読出装置B3と通信制御装置B4の作動を制御する供給制御部B1と、情報読出装置B3に既に書き込まれている特定の映像情報について多数の送信要求が予想される場合等に、その映像情報のタイトルとその再書き込みとを指示する再書込要求データDCを必要に応じて供給制御部B1に入力可能なキーボード等を備えた制御データ入力装置B5とが設けられている。
【００４４】
前記供給制御部B1には、端末装置Ｅ毎の作動データと情報読出装置B3毎の作動データ及び制御データ入力装置B5又は情報読出装置B3から入力された再書込要求データDCを供給制御データとして記憶する供給制御データ記憶部B2が設けられ、供給制御部B1は、この供給データ記憶部B2に記憶されている供給制御データに基づいて、必要な映像データが読み出されるように各情報読出装置B3の作動を制御するとともに、情報読出装置B3の各々で読み出した読出映像データVDn(ｎ＝１〜６３、以下同じ) をシリアルのデジタル映像信号に変換して、そのうちの読出映像データVDm が送信映像データVEとして送信要求データDAに応じて複数の端末装置Ｅに送信され、かつ、読出映像データVD63が再書込映像データとして所定の情報読出装置B3に送信されるように通信制御装置B4の作動を制御する。
従って、この供給制御部B1が、情報読出装置B3で読み出した複数の読出映像データVDm が複数の端末装置Ｅからの送信要求データDAに応じてそれら複数の端末装置Ｅに送信されるように制御可能な供給制御手段に構成されている。
【００４５】
前記情報読出装置B3の各々には、情報送出装置Ａから送出される映像データVA又は別の情報読出装置B3から送信される再書込映像データVD63を書込映像データVBとして選択する選択スイッチ４と、その選択スイッチ４で選択された書込映像データVBが書き込まれる情報蓄積メモリ２と、その情報蓄積メモリ２の書込・読出動作を制御するメモリ制御部１とが設けられ、メモリ制御部１には、読出制御データを記憶する読出制御データ記憶部1aが設けられている。
【００４６】
前記メモリ制御部１は、選択スイッチ４で選択された書込映像データVBを情報蓄積メモリ２に書込みながら、その情報蓄積メモリ２に記憶されている記憶映像データVCが、複数の端末装置Ｅからの送信要求データDAに応じた読出位置が異なる複数の読出映像データVDn として時分割で読み出されるように情報蓄積メモリ２の書込・読出動作を制御可能に構成され、情報蓄積メモリ２に書き込まれていない情報について、その情報の送出を要求する送出要求データDEをその情報読出装置B3の識別データとともに必要に応じて情報送出装置Ａに送信できるように設けられている。
【００４７】
前記情報送出装置Ａには、種々の映像情報の映像データVAを各別に出力する多数の情報出力装置A6,A7 を備えた情報源A3と、情報源A3から出力された映像データVAが所定の情報読出装置B3に送出されるようにデジタル通信回線を接続する回線制御装置A4と、各情報読出装置B3のメモリ制御部１から送信される送出要求データDEに基づいて、各情報出力装置A6,A7 と回線制御装置A4の作動を制御する送出制御部A1とが設けられ、送出制御部A1には、情報読出装置B3毎の作動データと各情報出力装置A6,A7 毎の作動データを送出制御データとして記憶する送出制御データ記憶部A2が設けられている。
【００４８】
前記情報源A3には、光ディスクに記録されている種々の映像データVAを読み出してシリアルのデジタル映像信号で出力する多数の光ディスク装置等の再生情報出力装置A7と、放送局等の番組制作局A5からリアルタイムで送信されてくるスポーツ実況映像やコンサート実況映像，ニュース映像等の情報の映像データVAをシリアルのデジタル映像信号で出力するリアルタイム情報出力装置A6が設けられている。
【００４９】
図２は、情報読出装置B3の詳細なブロック図を示し、選択スイッチ４で選択されたシリアルの書込映像データVBをバッファリングしながらパラレルのデジタル映像信号に変換して出力するシリアル・パラレル変換回路５と、その書込映像データVBがM0番地からME番地までの書込領域ARに書き込まれる情報蓄積メモリ２と、情報蓄積メモリ２のアドレスデータADM が書換え可能に書き込まれるアドレス制御メモリ（半導体メモリ）３と、アドレス制御メモリ３の制御アドレスデータADC を出力するカウンタ６と、情報蓄積メモリ２の書込・読出動作を制御するマイクロプロセッサー等を備えたメモリ制御部１とが設けられている。
【００５０】
次に、前記情報読出装置B3の作動を、図３に示すタイムチャートを参照しながら説明する。
前記カウンタ６は、例えば「０」から最大値「６３」までカウントアップした後にその出力が「０」に戻って再びカウントアップする６ビットのシフトレジスタを設けて構成され、アドレス制御メモリ３に対して「０」から「６３」までのエンドレスに循環する制御アドレスデータADC を出力する。
【００５１】
第１比較器７は、メモリ制御部１から出力されるコマンドアドレスデータADCMとカウンタ６から出力される制御アドレスデータADC とを比較して、一致したときは「０」を出力し、第１マルチプレクサ８は、第１比較器７から「０」が出力されると、メモリ制御部１からＡ端子に入力されているコマンドデータDCM を書込アドレスデータADMWとしてアドレス制御メモリ３のデータ入力端子DIN に入力し、第１比較器７から「０」が出力されない場合は、Ｂ端子に入力されているアドレスデータADM を書込アドレスデータADMWとしてデータ入力端子DIN に入力する。
【００５２】
前記アドレス制御メモリ３は、０番地から６３番地のアドレスの各々に、増加データINC が書き込まれる増加データメモリ3AとアドレスデータADM が書き込まれるアドレスデータメモリ3Bとを備え、０番地のアドレスデータメモリ3Bには情報蓄積メモリ２への書込用のアドレスデータADM(ADM0) が書き込まれ、ｎ番地（ｎ＝１〜６３、以下同じ）のアドレスデータメモリ3Bには情報蓄積メモリ２からの読出用のアドレスデータADM(ADMn：ｎ＝１〜６３、以下同じ) が書き込まれるように設けられている。
【００５３】
そして、発振器９から出力されるクロックCKをカウンタ６で分周したライトイネーブル信号WEC バーがアドレス制御メモリ３のライトイネーブル入力端子WEバーに入力され、このライトイネーブル信号WEC バーの立ち上がりで順次カウントアップされるカウンタ６の出力が制御アドレスデータADC としてアドレス制御メモリ３のアドレス入力端子ADD に入力され、カウンタ６がアドレス制御メモリ３に対して一つの制御アドレスデータADC を出力している期間をタイムスロットとして、このタイムスロット毎に、アドレス制御メモリ３に対するアドレスデータADM の読み出しと書き込みが繰り返される。
【００５４】
以下、カウンタ６が０番地の制御アドレスデータADC 、つまり、「０」を出力していて、書込用のアドレスデータADM0の読み出しと書き込みが行われる期間を書込タイムスロット０といい、カウンタ６がｎ番地の制御アドレスデータADC 、つまり、「ｎ」（ｎ＝１〜６３、以下同じ）を出力していて、読出用のアドレスデータADMnの読み出しと書き込みが行われる期間を読出タイムスロットｎ（ｎ＝１〜６３、以下同じ）という。
【００５５】
そして、書込タイムスロット０又は読出タイムスロットｎの始まりで入力された制御アドレスデータADC に基づいて増加データメモリ3Aから読み出した増加データINC とアドレスデータメモリ3Bから読み出した読出アドレスデータADMRとが加算器１０に入力されて、その加算結果がラッチ回路１１にラッチされ、情報蓄積メモリ２のアドレスデータADM(ADM0,ADMn)としてそのアドレス入力端子ADD に入力されるとともに、第２比較器１２と第２マルチプレクサ１３のＢ端子とメモリ制御部１に入力される。
【００５６】
前記第２比較器１２は、書込タイムスロット０及び読出タイムスロットｎの各々において、情報蓄積メモリ２のアドレスデータADM とメモリ制御部１から入力されている書込領域ARのME番地を示す最終アドレスデータADMEとを比較して、一致したときは「０」を出力し、第２マルチプレクサ１３は、第２比較器１２から「０」が出力されるとメモリ制御部１からＡ端子に入力されている書込領域ARの（M0−１）番地を示す更新アドレスデータADMKをアドレスデータADM として第１マルチプレクサ８のＢ端子に入力し、第２比較器１２から「０」が出力されていない場合は、そのＢ端子に入力されているアドレスデータADM を第１マルチプレクサ８のＢ端子に入力する。
【００５７】
前記第１マルチプレクサ８のＢ端子に入力されたアドレスデータADM は、第１比較器７から「０」が出力されていない場合に、書込アドレスデータADMWとしてアドレス制御メモリ３に入力され、書込タイムスロット０又は読出タイムスロットｎの後半の書込み期間において、読出時と同じ番地のアドレスデータメモリ3Bに書き込まれる。
従って、増加データINC が「１」に設定されているときは、書込タイムスロット０又は読出タイムスロットｎの始まりで読み出した読出アドレスデータADMRに増加データINC の「１」を加算したアドレスデータADM がラッチ回路１１から出力されるので、制御アドレスデータADC が「０」から「６３」を一巡する毎に、書込タイムスロット０又は読出タイムスロットｎに対応するアドレスデータADM が「１」ずつ増加し、増加データINC が「０」に設定されているときは、書込タイムスロット０又は読出タイムスロットｎの始まりで読み出した読出アドレスデータADMRと同じ値のアドレスデータADM がラッチ回路１１から出力されるので、アドレスデータADM は変化しない。
【００５８】
前記シリアル・パラレル変換回路５は、情報送出装置Ａ或いは別の情報読出装置B3から入力される書込映像データVBをメモリ制御部１から入力されるライトクロック信号CKW に同期して順次取り込むシフトレジスタ5Aと、シフトレジスタ5Aからパラレルに入力される書込映像データVBを第３比較器１４から出力されるライトロード信号WLの立ち下がりでラッチして情報蓄積メモリ２のデータ入力端子DIN に入力するライトラッチ回路5Bとを備えている。
【００５９】
前記第３比較器１４は、メモリ制御部１から出力される「０」の比較データと制御アドレスデータADC とを比較して、制御アドレスデータADC として「０」が出力されている間、つまり、書込タイムスロット０の期間において「０」のライトロード信号WLを出力する。
そして、第３比較器１４から「０」のライトロード信号WLが出力されている期間において、アドレス制御メモリ３に対する「０」のライトイネーブル信号WEC バーが出力されると、ゲート回路１５は情報蓄積メモリ２に対する「０」のライトイネーブル信号WEM バーを出力し、データ入力端子DIN に入力されている書込映像データVBは、書込タイムスロット０の後半において、情報蓄積メモリ２のアドレスデータADM0で指定された位置に書き込まれる。
【００６０】
従って、増加データメモリ3Aの内容を「１」とし、かつ、アドレスデータメモリ3Bの内容を「M0−１」とするコマンドデータDCM を出力しながら、「０」のコマンドアドレスデータADCMを出力することにより、制御アドレスデータADC が「０」から「６３」を一巡する間に、０番地の増加データメモリ3Aに「１」が、また、アドレスデータメモリ3Bに「M0−１」が各々書き込まれ、次に、「０」以外のコマンドアドレスデータADCMを出力すると、選択スイッチ４で選択された映像データVBが、書込タイムスロット０の期間において情報蓄積メモリ２のM0番地から順に書き込まれる。
【００６１】
また、情報蓄積メモリ２に記憶されている記憶映像データVCを読出タイムスロットｎの期間においてMX番地から順に読み出したい場合は、増加データメモリ3Aの内容を「１」とし、かつ、アドレスデータメモリ3Bの内容を「MX−１」とするコマンドデータDCM を出力しながら、「ｎ」のコマンドアドレスデータADCMを出力することにより、制御アドレスデータADC が「０」から「６３」を一巡する間に、ｎ番地の増加データメモリ3Aに「１」が、また、アドレスデータメモリ3Bに「MX−１」が各々書き込まれ、次に、「ｎ」以外のコマンドアドレスデータADCMを出力すると、読出タイムスロットｎの期間において読出映像データVDn が情報蓄積メモリ２のMX番地から順に読み出され、複数の読出タイムスロットｎの各々における読出映像データVDn が時分割で読み出される。
【００６２】
従って、情報蓄積メモリ２が、書込アドレスとしての書込用のアドレスデータADM0で指定される位置に書込映像データVBを書き込み可能、かつ、読出アドレスとしての読出用のアドレスデータADMnで指定される位置から読出映像データVDn を読み出し可能に設けられ、情報読出装置B3は、書込用のアドレスデータADM0と複数の読出用のアドレスデータADMnとを同じ周期で時分割で指定して、書込映像データVBを情報蓄積メモリ２に書き込みながら、その情報蓄積メモリ２に記憶されている記憶映像データVCを読出位置が異なる複数の読出映像データVDn として時分割で読み出し可能に設けられている。
【００６３】
また、書込タイムスロット０における情報蓄積メモリ２への書込用のアドレスデータADM0が「ME」に達すると、０番地のアドレスデータメモリ3Bに「M0−１」が書き込まれて、ラッチ回路１１から出力される書込用のアドレスデータADM0が「M0」に戻り、情報蓄積メモリ２に既に書き込まれている映像データがM0番地から順に書き換えられるとともに、読出タイムスロットｎのいずれかにおいて情報蓄積メモリ２からの読出用のアドレスデータADMnが「ME」に達すると、ｎ番地のアドレスデータメモリ3Bに「M0−１」が書き込まれて、ラッチ回路１１から出力される読出用のアドレスデータADMnが「M0」に戻り、書込タイムスロット０において書き換えられた映像データがM0番地から順に読み出される。
【００６４】
従って、情報読出装置B3は、書込用のアドレスデータADM0と複数の読出用のアドレスデータADMnとをM0番地からME番地までのアドレス範囲を循環させる状態で時分割で指定して、先に書き込んだデータを書き換えて情報蓄積メモリ２に書込映像データVBを書き込みながら、複数の端末装置Ｅからの送信要求データDAに応じた読出位置が異なる複数の読出映像データVDm をその情報蓄積メモリ２から読み出し可能に設けられている。
【００６５】
以下の説明において、図４〜図６で概念的に示すように、一つのタイトルの書込映像データVBの全部のデータ量を、その映像データの全部を送信するに要する時間TAとして表現し、情報蓄積メモリ２(2a,2b,2c)のM0番地からME番地までの書込領域ARの書込容量を、その書込領域ARの全部に書き込まれている映像データを送信するのに要する時間TAR として表現し、現在時刻TRにおいて情報蓄積メモリ２へ書き込んでいる書込映像データVBの位置である現在書込位置を、その書込映像データVBの書込開始時刻TSからの経過時間TBとして表現し、現在時刻TRにおいてタイムスロットｎで情報蓄積メモリ２から読出映像データVDn の読み出しを開始する映像データの位置である読出開始位置を、その書込映像データVBの書込開始時刻TSからその位置の映像データが情報蓄積メモリ２へ書き込まれる時までの経過時間TCn(ｎ＝１〜６３、以下同じ) として表現し、現在時刻TRにおいてタイムスロットｎで読出映像データVDn を読み出している位置である現在読出位置を、その書込映像データVBの書込開始時刻TSからその位置の映像データが情報蓄積メモリ２へ書き込まれる時までの経過時間TDn(ｎ＝１〜６３、以下同じ) として表現する。
【００６６】
尚、書込映像データVBがリアルタイム情報出力装置A6から出力された映像データVAである場合、そのデータ量TAを、書込終了時刻TEが後述するように入力されるまでは、その書込映像データVBの書込開始時刻TSからの経過時間、つまり、現在書込位置を現す経過時間TBとし、書込終了時刻TEが入力された後は、その書き込みに要した時間、つまり、TE−TSとする。
そして、端末装置Ｅは、要求する映像情報の送信開始位置を読出開始位置TCn として所定の一定時間単位、例えば１０秒単位で指定するように決められており、メモリ制御部１は、情報蓄積メモリ２への書込映像データVBの書込開始時刻TSからの経過時間に対応して、その経過時間における情報蓄積メモリ２への書込用のアドレスデータADM0を予め記憶している。
【００６７】
次に、供給制御部B1による制御動作を、図７〜図１１のフローチャートを参照しながら説明する。
前記供給制御データ記憶部B2は、端末装置Ｅ毎の作動データとして「情報供給開始処理」が終了していない未処理の送信要求データDAと「情報供給終了処理」が終了していない未処理の受信終了データDBを記憶し、情報読出装置B3毎の作動データとしてその情報蓄積メモリ２の書込容量TAR 、現在書き込まれている映像情報のタイトル、その書込開始時刻TSと書込終了時刻TE及び読出映像データVDn を読出中の読出タイムスロットｎとその読出映像データVDn を受信している端末装置Ｅ及び情報読出装置B3を記憶し、更に、「再書込開始処理」が終了していない未処理の再書込要求データDCと「再書込データ読出終了処理」が終了していない未処理の再書込終了データDDを記憶するように構成されている。
【００６８】
そして、図７のフローチャートに示すように、起動電源を入力してから最初の送信要求データFDA が端末装置Ｅから入力されると制御動作を開始し(#1)、供給データ記憶部B2に記憶されている未処理の送信要求データDAと未処理の受信終了データDBと未処理の再書込要求データDCと未処理の再書込終了データDDを処理対象データとして読み出す(#2)。
【００６９】
次に、処理対象データ中の未処理の送信要求データDAの有無を判別して(#3)、有りの場合は、送信を要求する情報のタイトルとその送信開始位置が同じ送信要求データDA毎に、その送信要求データDAを入力した端末装置Ｅに要求されている映像情報を同報送信する「情報供給開始処理」を実行し(#4)、無しの場合又は処理対象データ中の未処理の送信要求データDAが無くなった場合は、処理対象データ中の未処理の再書込要求データDCの有無を判別して(#5)、有りの場合はその再書込要求データDC毎に「再書込開始処理」を実行し(#6)、無しの場合又は処理対象データ中の未処理の再書込要求データDCが無くなった場合は、処理対象データ中の未処理の受信終了データDBの有無を判別して(#7)、有りの場合はその受信終了データDB毎に「情報供給終了処理」を実行し(#8)、無しの場合又は処理対象データ中の未処理の受信終了データDBが無くなった場合は、処理対象データ中の未処理の再書込終了データDDの有無を判別して(#9)、有りの場合はその再書込終了データDD毎に「再書込データ読出終了処理」を実行し(#10) 、無しの場合又は処理対象データ中の未処理の再書込終了データDDが無くなった場合は、新たに供給制御データ記憶部B2に記憶された処理対象データについて、ステップ#2〜#10 の制御動作を繰り返す。
【００７０】
従って、供給制御部B1は、ステップ#2〜#10 の制御動作を一回実行するに要する時間を所定時間として、送信を要求する情報のタイトルとその読出開始位置TCm （ｍ＝１〜６２、以下同じ）が同じ送信要求データDAがその所定時間内に複数の端末装置Ｅから入力されると、次回のステップ#2〜#10 の制御動作において、その同じ送信要求データDAに応じた一つの読出映像データVDm を情報蓄積メモリ２から読み出して、それら複数の端末装置Ｅに同報送信するように制御可能に設けられ、ステップ#2〜#10 の制御動作を一回実行するに要する所定時間内に入力される送信要求データDAの数が増えると、次回のステップ#2〜#10 の制御動作を実行するに要する時間が長くなる結果、その所定時間が長くなり、ステップ#2〜#10 の制御動作を一回実行するに要する所定時間内に入力される送信要求データDAの数が減ると、次回のステップ#2〜#10 の制御動作を実行するに要する時間が短くなる結果、その所定時間が短くなるように制御可能に設けられている。
【００７１】
前記「情報供給開始処理」では、図８のフローチャートに示すように、要求されているタイトルの映像情報が書き込まれている情報読出装置B3の有無を判別し(#21) 、その映像情報が書き込まれている情報読出装置B3が有る場合は、要求されている送信開始位置がその情報読出装置B3の現在読出可能な範囲内にあるか否かを判別する(#22) 。
この判別は、その映像情報が書き込まれている情報読出装置B3が複数ある場合はその一つずつについて実行し、書込開始時刻TSと現在時刻TRから、要求されている送信開始位置、つまり、読出開始位置TCn がその情報蓄積メモリ２から読出可能な範囲内にある否かを判別するもので、TR−TS≦TAで書込映像データVBを現在書き込み途中である場合は、その読出可能な範囲を、図４に示すようにTA≦TAR のとき、及び、図５(a),(b),(c) に示すようにTR−TS≦TAR のときは０≦TCn ≦TBとして、また、図５(d) に示すようにTAR ＜TR−TSのときはTB−TAR ≦TCn ≦TBとして判別し、TA＜TR−TSで書込映像データVBの書き込みが終了している場合は、その読出可能な範囲を、図４に示すようにTA≦TAR のときは０≦TCn ≦TAとして、また、図５に示すようにTAR ＜TAのときはTA−TAR ≦TCn ≦TAとして判別する。
【００７２】
そして、読出可能な範囲内の情報読出装置B3が有る場合は、その情報読出装置B3の読出タイムスロットｍ（ｍ＝１〜６２、以下同じ）のうちに使用されていない空タイムスロットが残っている情報読出装置B3の有無を判別し(#23) 、空タイムスロットの残っている情報読出装置B3が有る場合は、空タイムスロットの一つを要求されている映像情報の読出タイムスロットｍとして、その読出タイムスロットｍで読み出された読出映像データVDm をその送信要求データDAを入力した端末装置Ｅに同報送信するための回線接続データDL1 を通信制御装置B4に入力し(#24) 、その読出タイムスロットｍと読出開始位置TCm を指示する読出開始データDGm(ｍ＝１〜６２、以下同じ) をその情報読出装置B3のメモリ制御部１に入力する(#25) 。
【００７３】
前記ステップ#23 において空タイムスロットの残っている情報読出装置B3が無い場合は、その映像情報のタイトルとその再書込とを指示する再書込要求データDCを供給制御データ記憶部B2に記憶させた後(#26) 、その送信要求データDAを未処理の送信要求データDAとして供給制御データ記憶部B2に再記憶させ(#27) 、ステップ#22 において読出可能な範囲内の情報読出装置B3が無い場合も、その送信要求データDAを未処理の送信要求データDAとして供給制御データ記憶部B2に再記憶させる(#27) 。
【００７４】
また、ステップ#21 において要求されているタイトルの映像情報が書き込まれている情報読出装置B3が無い場合は、書込動作も読出動作も現在実行していない待機中の情報読出装置B3の有無を判別し(#28) 、待機中の情報読出装置B3が有る場合は、待機中の情報読出装置B3の一つにその映像情報のタイトルとその書き込みを指示する通常書込開始データDFを入力した後(#29) 、その送信要求データDAを未処理の送信要求データDAとして供給制御データ記憶部B2に再記憶させ(#27) 、待機中の情報読出装置B3がない場合は、その送信要求データDAを未処理の送信要求データDAとして供給制御データ記憶部B2に再記憶させる(#27) 。
【００７５】
前記「再書込開始処理」は、再書込要求データDCで要求されているタイトルの映像情報が書き込まれている情報読出装置B3、又は、再書込要求データDCを入力した情報読出装置B3でタイムスロット６３において読み出した読出映像データVD63を再書込映像データとして別の情報読出装置B3に書き込むもので、図９のフローチャートに示すように、書込動作も読出動作も現在実行していない待機中の情報読出装置B3の有無を判別し(#31) 、待機中の情報読出装置B3が有る場合は、その情報読出装置B3の一つを書込先情報読出装置B3とし、かつ、その再書込映像データVD63が書き込まれている情報読出装置B3を読出元情報読出装置B3として、その読出元情報読出装置B3で読み出された再書込映像データVD63を書込先情報読出装置B3に入力するための回線接続データDL1 を通信制御装置B4に入力し(#32) 、書込先情報読出装置B3にその再書込映像データVD63の書き込みを指示する再書込開始データDHを入力するとともに(#33) 、読出元情報読出装置B3にその再書込映像データVD63の読み出し、つまり、読出タイムスロット６３と読出開始位置TD63＝０からの読み出しを指示する読出開始データDG63を入力する(#34) 。
また、ステップ#31 において待機中の情報読出装置B3が無い場合は、その再書込要求データDCを未処理の再書込要求データDCとして供給制御データ記憶部B2に再記憶させる(#35) 。
【００７６】
前記「情報供給終了処理」では、図１０のフローチャートに示すように、その受信終了データDBを入力した端末装置Ｅと対応する情報読出装置B3との通信回線を切断するための回線切断データDL2 を通信制御装置B4に入力するとともに(#41) 、その受信を終了した送信映像データVEを受信している別の端末装置Ｅの有無を判別し(#42) 、その別の端末装置Ｅが無い場合は、その送信映像データVEに対応する読出タイムスロットｍにおける読み出しの終了を指示する読出終了データDJm(ｍ＝１〜６２、以下同じ) を対応する情報読出装置B3のメモリ制御部１に入力する(#43) 。
【００７７】
前記「再書込データ読出終了処理」では、図１１のフローチャートに示すように、その再書込終了データDDを入力した書込先情報読出装置B3と対応する読出元情報読出装置B3との通信回線を切断するための回線切断データDL2 を通信制御装置B4に入力するとともに(#51) 、その読出元情報読出装置B3のメモリ制御部１に読出タイムスロット６３における読み出しの終了を指示する読出終了データDJ63を入力する(#52) 。
【００７８】
次に、前記メモリ制御部１による制御動作を、図１２〜図１７のフローチャートを参照しながら説明する。
前記読出制御データ記憶部1aは、読出制御データとして、「書込開始処理」が終了していない未処理の通常書込開始データDFと未処理の再書込開始データDH、「読出開始処理」が終了していない未処理の読出開始データDGn(ｎ＝１〜６３、以下同じ) 及び「読出終了処理」が終了していない未処理の読出終了データDJn(ｎ＝１〜６３、以下同じ) を記憶するように構成されている。
【００７９】
そして、図１２，図１３のフローチャートに示すように、通常書込フラグFGA と書込開始フラグFGB と再書込要求フラグFGC を「０」に初期化し(#101)、最初の通常書込開始データFDF 又は最初の再書込開始データFDH が供給制御部B1から入力されると書込・読出制御の実行を開始し(#102)、読出制御データ記憶部１ａに記憶されている未処理の通常書込開始データDFと未処理の再書込開始データDHと未処理の読出開始データDGn と未処理の読出終了データDJn を処理対象データとして読み出す(#103)。
【００８０】
次に、処理対象データ中の未処理の再書込開始データDHの有無を判別して(#104)、有りの場合は、通常書込フラグFGA を「１」とした後(#105)、「書込開始処理」を実行し(#106)、未処理の再書込開始データDHが無い場合は、処理対象データ中の未処理の通常書込開始データDFの有無を判別して(#107)、有りの場合は「書込開始処理」を実行する(#106)。
【００８１】
次に、処理対象データ中の未処理の読出開始データDGn の有無を判別して(#108)、有りの場合は「読出開始処理」を実行し(#109)、無しの場合又は処理対象データ中の未処理の読出開始データDGn が無くなった場合は、処理対象データ中の未処理の読出終了データDJn の有無を判別して(#110)、有りの場合は「読出終了処理」を実行し(#111)、無しの場合又は処理対象データ中の未処理の読出終了データDJn が無くなった場合は、書込開始フラグFGB が「１」か否かを判別する(#112)。
【００８２】
そして、書込開始フラグFGB が「１」の場合は、再書込要求フラグFGC が「０」か否かを判別して(#113)、再書込要求フラグFGC が「０」の場合は、情報蓄積メモリ２に残っている残書込容量、つまり、書込容量TBと書込映像データVBの書込開始時刻TSからの経過時間TRとの差TB−TRが設定最小時間Tminを下回っているか否かを判別し(#114)、下回っている場合は、その映像情報のタイトルとその映像情報の別の情報読出装置B3への再書き込みとを指示する再書込要求データDCを供給制御部B1に入力して(#115)、再書込要求フラグFGC を「１」とし(#116)、次に、書込映像データVBの末尾に付与されている情報終了データSBの検出の有無を判別して(#117)、情報終了データSBの検出が有る場合は「書込終了処理」を実行した後(#118)、新たに読出制御データ記憶部1aに記憶された処理対象データについて、ステップ#103〜#118の制御動作を繰り返す。
従って、メモリ制御部１が、端末装置Ｅからの送信要求データDAに対応する書込映像データVBが情報蓄積メモリ２に書き込まれるように制御可能な書込制御手段と、情報蓄積メモリ２から複数の読出映像データVDm が送信要求データDAに応じて読み出されるように制御可能な読出制御手段とに構成されている。
【００８３】
前記「書込開始処理」では、図１４のフローチャートに示すように、０番地の増加データメモリ3Aに「１」を、アドレスデータメモリ3Bに「M0−１」を各々書き込むとともに(#121)、通常書込フラグFGA が「０」か否かを判別し(#122)、通常書込フラグFGA が「０」のときは、情報送出装置Ａから送出される映像データVAを書込映像データVBとして選択する選択信号SCT を選択スイッチ４に入力して(#123)、書き込むべき映像情報のタイトルとその送出を要求する送出要求データDEを送出制御部A1に入力し(#124)、通常書込フラグFGA が「０」でないときは、再書込映像データVD63を書込映像データVBとして選択する選択信号SCT を選択スイッチ４に入力する(#125)。
【００８４】
そして、書込映像データVBの頭部に付与されている情報開始データSAを検出すると(#126)、コマンドアドレスデータADCMを「０」〜「６３」以外の値、例えば「１００」とすることにより(#127)、シリアル・パラレル変換回路５から出力されるその書込映像データVBの情報蓄積メモリ２への書き込みを開始し、その書込開始時刻TSを供給制御部B1に入力するとともに(#128)、書込開始フラグFGB を「１」とし、再書込要求フラグFGC を「０」とする(#129)。
【００８５】
前記「読出開始処理」では、図１５のフローチャートに示すように、読出開始位置TCn に対応する位置の映像データが書き込まれている書込用のアドレスデータADM0をその読出開始位置TCn のアドレスデータADMnとして、読出開始データDGn で指示されている読出タイムスロットｎに対応するｎ番地の増加データメモリ3Aに「１」を、アドレスデータメモリ3Bに「ADMn−１」を夫々書き込んだ後(#131)、コマンドアドレスデータADCMを「０」〜「６３」以外の値、例えば「１００」とすることにより(#132)、読出映像データVDn の読み出しが開始され、読出タイムスロットｍの期間において読み出された読出映像データVDm は送信映像データVEとして所定の端末装置Ｅに送信され、読出タイムスロット６３の期間において読み出された読出映像データVD63は再書込映像データとして別の情報読出装置B3に送信される。
【００８６】
従って、情報読出装置B3の複数が、一つの情報読出装置B3で情報蓄積メモリ２に書込映像情報VBを書き込みながら、読出位置が異なる複数の読出映像データVDn をその情報蓄積メモリ２から読み出して、その読み出した複数の読出映像データVDn のうちの一つの読出映像データVD63を再書込映像データとして別の情報読出装置B3で別の情報蓄積メモリ２に書込可能な状態で互いに連係され、その再書込映像データVD63を別の情報蓄積メモリ２に書き込みながら、その別の情報蓄積メモリ２から読出位置が異なる複数の読出映像データVDm を読み出すことができるように設けられている。
【００８７】
前記「読出終了処理」では、図１６のフローチャートに示すように、増加データメモリ3A及びアドレスデータメモリ3Bの内容を「０」とするコマンドデータDCM を出力しながら、読出終了データDJn で指示された読出タイムスロットｎに対応する「ｎ」のコマンドアドレスデータADCMを出力することにより、制御アドレスデータADC が「０」から「６３」を一巡する間に、ｎ番地の増加データメモリ3A及びアドレスデータメモリ3Bの内容を「０」に初期化した後(#141)、コマンドアドレスデータADCMを「０」〜「６３」以外の値、例えば「１００」とする(#142)。
【００８８】
前記「書込終了処理」では、図１７のフローチャートに示すように、アドレス制御メモリ３の書込タイムスロット０に対応する０番地の増加データメモリ3Aの内容を「０」とするコマンドデータDCM を出力しながら、「０」のコマンドアドレスデータADCMを出力することにより、制御アドレスデータADC が「０」から「６３」を一巡する間に、０番地の増加データメモリ3Aの内容を「０」に初期化した後(#151)、コマンドアドレスデータADCMを「０」から「６３」以外の値、例えば「１００」とし(#152)、書込終了時刻TEを供給制御部B1に入力するとともに(#153)、書込開始フラグFGB を「０」とし(#154)、通常書込フラグFGA が「０」か否かを判別して(#155)、「０」の場合は書込終了データDKを送出制御部A1に入力し(#156)、通常書込フラグFGA が「０」でない場合は、再書込終了データDDを供給制御部B1に入力して(#157)、通常書込フラグFGA を「０」とする(#158)。
【００８９】
従って、図４(a) に示すように、書込容量TAR が書込映像データVBの全部のデータ量TAよりも大きい情報蓄積メモリ２にその書込映像データVBの書き込みを開始した場合は、図４(b) に示すように、その書込映像データVBを書き込みながら、その情報蓄積メモリ２に既に書き込んだ記憶映像データVCから、読出開始位置TCn が異なる複数の読出映像データVDn を読み出すことができ、図４(c) に示すようにその書込映像データVBの書き込みが終了すると、任意の読出開始位置TCn から複数の読出映像データVDn を読み出すことができる。
【００９０】
また、図５(a) に示すように、書込容量TAR が書込映像データVBの全部のデータ量TAよりも小さい情報蓄積メモリ２にその書込映像データVBの書き込みを開始した場合は、図５(b) に示すように、その書込領域ARの全部に書込映像データVBが書き込まれるまでは、その書き込み開始部分を含む記憶映像データVCから読出開始位置TCn が異なる複数の読出映像データVDn を読み出すことができ、図５(C) に示すように書込領域ARの全部に書込映像データVBが書き込まれたあとは、図５(d) に示すように、先に書き込んだ記憶映像データVCを書き換える状態でその書込映像データVBを書き込みながら、その記憶映像データVCから読出開始位置TCn が異なる複数の読出映像データVDn を読み出すことができる。
【００９１】
そして、図６に示すように、書込容量TAR が書込映像データVBの全部のデータ量TAよりも小さい情報蓄積メモリ２(2a)にその書込映像データVBの書き込む場合は、その書込映像データVBを複数の情報蓄積メモリ２(2a,2b,2c)に分担して記憶させる状態でそれらの情報蓄積メモリ２(2a,2b,2c)に書き込みながら、それら複数の情報蓄積メモリ２(2a,2b,2c)の各々から、読出開始位置TCm が異なる複数の読出映像データVDm を読み出すことができる。
【００９２】
つまり、図６(a) に示すように情報蓄積メモリ２(2a)への書込映像データVBの書き込みを開始してから、その情報蓄積メモリ２(2a)に残っている残書込容量が設定最小時間Tminを下回ると、図６(b) に示すように、その情報蓄積メモリ２(2a)から読み出した再書込映像データVD63の別の情報読出装置B3の情報蓄積メモリ２(2b)への書き込みが開始され、図６(c) に示すように、それらの情報蓄積メモリ２(2a), ２(2b)の各々から読出開始位置TCm が異なる複数の読出映像データVDm を読み出しながら、その情報蓄積メモリ２(2b)に残っている残書込容量が設定最小時間Tminを下回ると、図６(d) に示すように、その情報蓄積メモリ２(2b)から読み出した再書込映像データVD63の別の情報読出装置B3の情報蓄積メモリ２(2c)への書き込みが開始され、図６(e) に示すように、それらの情報蓄積メモリ２(2a), ２(2b), ２(2c)の各々から読出開始位置TCm が異なる複数の読出映像データVDm を読み出すことができる。
【００９３】
前記送出制御部A1の制御動作を、図１８〜図２０のフローチャートを参照しながら説明する。
尚、送出制御データ記憶部A2は、情報読出装置B3毎の作動データとして、「送出開始処理」が終了していない未処理の送出要求データDEと「送出終了処理」が終了していない未処理の書込終了データDKを記憶し、情報出力装置A6,A7 毎の作動データとして、その情報出力装置A6,A7 から出力可能な映像情報のタイトルを記憶している。
【００９４】
そして、図１８のフローチャートに示すように、起動電源を入力してから最初の送出要求データFDE が情報読出装置B3から送信されると制御動作を開始し(#201)、送出制御データ記憶部A2から未処理の送出要求データDEと未処理の書込終了データDKを処理対象データとして読み出す(#202)。
次に、処理対象データ中の未処理の送出要求データDEの有無を判別して(#203)、有りの場合はその送出要求データDE毎に「送出開始処理」を実行し(#204)、無しの場合又は処理対象データ中の未処理の送出要求データDEが無くなった場合は、処理対象データ中の未処理の書込終了データDKの有無を判別して(#205)、有りの場合はその書込終了データDK毎に「送出終了処理」を実行し(#206)、無しの場合又は処理対象データ中の未処理の書込終了データDKが無くなった場合は、新たに送出データ記憶部A2に記憶された処理対象データについて、ステップ#202〜#206の制御動作を繰り返す。
【００９５】
前記「送出開始処理」では、図１９のフローチャートに示すように、送出要求データDEで要求されているタイトルの映像情報を出力する情報出力装置A6,A7 とその送出要求データDEを送信した情報読出装置B3とのデジタル通信回線を接続するための回線接続データDM1 を回線制御装置A4に入力し(#211)、映像データVAの出力開始を指示する出力開始指示信号SCをその情報出力装置A6,A7 に入力して(#212)、その映像データVAの情報読出装置B3への送出を開始する。
従って、情報読出装置B3は、リアルタイム情報出力装置A6から出力される映像情報のタイトルとその送出を要求する送出要求データDEを送出制御部A1に送信することにより、番組制作局A5から送信される情報の映像データVAを情報蓄積メモリ２に書き込み可能に設けられ、その映像データVAを情報蓄積メモリ２に書き込みながら、読出位置が異なる複数の読出映像データVDn をその情報蓄積メモリ２から読み出すことができる。
【００９６】
前記「送出終了処理」では、図２０のフローチャートに示すように、その書込終了データDKを入力した情報読出装置B3と対応する情報出力装置A6,A7 とのデジタル通信回線を切断するための回線切断データDM2 を回線制御装置A4に入力し(#221)、映像情報VAの出力終了を指示する出力終了指示信号SDをその情報出力装置A6,A7 に入力して(#222)、映像データVAの情報読出装置B3への送出を終了する。
【００９７】
〔第２実施形態〕
図２１は情報供給システムの別実施形態をブロック図で示し、複数に区分されたサービス地域Ｈ毎に第１実施形態で示した情報供給装置Ｂと同様の情報供給装置（以下、地域情報供給装置という）Ｄを設け、第１実施形態で示したと同様のセンタ装置Ｃに、これらの地域情報供給装置Ｄの各々をその端末としてデジタル伝送回線Ｇで双方向に通信可能に接続するとともに、地域情報供給装置Ｄの各々とそのサービス地域Ｈに設けられている多数の端末装置Ｅとを第１実施形態で示したと同様にデジタル交換回線網Ｆを介して双方向に通信可能に接続して、センタ装置Ｃが、情報蓄積メモリ２に書込映像データVBを書き込みながら、読出位置が異なる複数の読出映像データVDm をその情報蓄積メモリ２から読み出して、それら複数の中継用情報供給手段としての地域情報供給装置Ｄからの送信要求データDAに応じて送信する情報供給手段に構成されている。
【００９８】
そして、地域情報供給装置Ｄの各々は、その情報読出装置B3の情報蓄積メモリ２から現在読み出せない映像情報についての送信要求データDAがそのサービス地域Ｈの端末装置Ｅから送信されると、待機中の情報読出装置B3の一つが、その映像データVAの送出を要求する送出要求データDEを送信要求データDAとしてセンタ装置Ｃの供給制御部B1に送信し、センタ装置Ｃは、その情報読出装置B3の情報蓄積メモリ２から現在読み出せない映像情報についての送信要求データDAが地域情報供給装置Ｄから送信されると、その送信要求データDAに対応する映像データVAを待機中の情報読出装置B3の情報蓄積メモリ２に書き込みながら、複数の地域情報供給装置Ｄからの送信要求データDAに応じた読出位置が異なる複数の読出映像データVDm をその情報蓄積メモリ２から読み出して、それら複数の地域情報供給装置Ｄに送信し、地域情報供給装置Ｄの各々は、センタ装置Ｃから送信されてきた映像データVE(VA)をその情報読出装置B3の情報蓄積メモリ２に書き込みながら、複数の端末装置Ｅからの送信要求データDAに応じた読出位置が異なる複数の読出映像データVDm をその情報蓄積メモリ２から読み出して、それら複数の端末装置Ｅに送信するように設けられている。
その他の構成は第１実施形態と同様である。
【００９９】
〔第３実施形態〕
図２２は情報供給システムの別実施形態のブロック図の要部を示し、第１実施形態で示したセンタ装置Ｃの情報供給装置Ｂ又は第２実施形態で示した地域情報供給装置Ｄに、情報読出装置B3の各々で読み出した読出映像データVDm を多重化する多重化装置Ｊを設け、その多重化した多重化映像データVFをケーブルテレビ用の有線通信網Ｋで端末装置Ｅの各々に送信するとともに、端末装置Ｅの各々は、その情報供給装置Ｂ又は地域情報供給装置Ｄの供給制御部B1から予め送信された受信チャンネルデータDNに基づいて、送信要求データDAに対応する映像データを受信できるように構成してある。
その他の構成は、第１又は第２実施形態と同様である。
【０１００】
〔その他の実施形態〕
１．発明による情報供給方法と情報供給システム及び情報読出装置において扱う情報のデータは、映像情報のデータの他、音声情報、文字情報、広告宣伝用の情報のデータ、情報処理用或いはゲーム用のソフトウエア等のデータがあり、その種類，用途は限定されない。
２．記憶手段から読み出した複数のデータを、無線通信或いは無線通信と有線通信とを組み合わせて、送信要求に応じて複数の端末に送信するように構成されていても良い。
３．記憶手段から読み出した複数のデータを、パケット交換方式により、送信要求に応じて複数の端末に送信するように構成されていても良い。
４．記憶手段から読み出した複数のデータを、アナログ電話回線網を利用して送信要求に応じて複数の端末に送信するように構成されていても良い。
５．データを送信要求の有無にかかわらず記憶手段に書き込みながら、その書き込み中のデータについて複数の端末から送信要求があると、その記憶手段から読出位置が異なる複数のデータを読み出すように構成されていても良い。
６．データを記憶手段に書き込みながら、読出位置が所定時間間隔で異なる複数のデータを送信要求の有無にかかわらずその記憶手段から読み出して、送信要求に応じて複数の端末に送信するように構成されていても良い。
７．データを記憶手段としての書換え可能な光磁気ディスクに書き込みながら、複数の読出ヘッドを駆動して、その光磁気ディスクから読出位置が異なる複数のデータを読み出すように構成されていても良い。
８．パーソナルコンピュータが端末として設けられていても良い。
９．タイトルの異なる複数の情報を共通の記憶手段に順に記憶しながら、タイトルの異なる複数の情報をその共通の記憶手段から読み出すように構成しても良い。
【図面の簡単な説明】
【図１】
情報供給システムのブロック図
【図２】
情報読出装置のブロック図
【図３】
タイムチャート
【図４】
情報供給方法を模式的に説明する説明図
【図５】
情報供給方法を模式的に説明する説明図
【図６】
情報供給方法を模式的に説明する説明図
【図７】
供給制御部の制御動作を示すフローチャート
【図８】
情報供給開始処理のフローチャート
【図９】
再書込開始処理のフローチャート
【図１０】
情報供給終了処理のフローチャート
【図１１】
再書込データ読出終了処理のフローチャート
【図１２】
メモリ制御部の制御動作を示すフローチャート
【図１３】
メモリ制御部の制御動作を示すフローチャート
【図１４】
書込開始処理のフローチャート
【図１５】
読出開始処理のフローチャート
【図１６】
読出終了処理のフローチャート
【図１７】
書込終了処理のフローチャート
【図１８】
送出制御部の制御動作を示すフローチャート
【図１９】
送出開始処理のフローチャート
【図２０】
送出終了処理のフローチャート
【図２１】
第２実施形態の情報供給システムを示すブロック図
【図２２】
第３実施形態の情報供給システムの要部を示すブロック図
【符号の説明】
２    記憶手段
AR    書込領域
Ｃ    情報供給手段
Ｄ    中継用情報供給手段
DA    送信要求
Ｅ    端末
VA,VB,VDn,VDm,VE   データ